(57)【特許請求の範囲】
【請求項１】
アームの先端部にバケットの基部を枢支し、そのバケットをバケットシリンダーで揺動させて掘削作業できるようにしたバケット装置において、前記バケットの背面位置に下フォークを取り付け、その下フォークと対向するアームの背面位置に上フォークを取り付け、バケットシリンダーでバケットを掘削方向とは反対方向へ揺動させた際に下フォークが上フォークに近接して被把持物を把持できるようにしたことを特徴とする、把持機能付きバケット装置。
【請求項２】
下フォークと上フォークをバケットの先端の回転軌跡より内側となるように設けた、請求項１記載の把持機能付きバケット装置。
【請求項３】
下フォークと上フォークの先端部をそれぞれ内側に折り曲げた形状に形成した、請求項１又は２いずれか記載の把持機能付きバケット装置。
【請求項４】
下フォークと上フォークが噛み合った際、上フォークをバケットの底面を覆う形状に長く形成し、被把持物を強固に把持できるようにした、請求項１〜３いずれか記載の把持機能付きバケット装置。
【発明の詳細な説明】
【技術分野】
【０００１】
本発明は、木材や岩等を把持できる把持機能を備えたバケット装置に関する。
【背景技術】
【０００２】
従来、油圧ショベル等のバケット装置に把持機能を備えたものが特許文献１に開示されている。この技術は、バケットシリンダーのロッドの先端とアームを連結しているリンクにフォークの基部を枢支し、そのフォークの中間位置とバケットの基部を第２リンクと挿抜可能な連結ピンで連結した構造を特徴としている。
【０００３】
この技術によれば、バケットシリンダーでバケットを掘削方向へ揺動させると、フォークの基部がリンクに引っ張られて連結ピンを支点にバケット方向へ回動し、その近接したフォークとバケットで被把持物を把持できるようにしている。また、フォークの不使用時は、フォークから連結ピンを引き抜いて第２リンクから外すことで、上方のアーム側へ退避できるようにしている。
【０００４】
ところで、前記技術では、フォークの使用時と不使用時に、その都度オペレーターが連結ピンを手作業で挿抜してフォークを開閉させる必要があり、作業が面倒であった。また、バケットは掘削した土砂等をすくい上げるために側壁を有しているから、横方向に長い被把持物を把持する際に側壁が邪魔となり、特に太いものは把持し難いものであった。
【先行技術文献】
【特許文献】
【０００５】
【特許文献１】特開２０００−１４４７８７号公報
【発明の概要】
【発明が解決しようとする課題】
【０００６】
本発明が解決しようとする課題は、従来のこれらの問題点を解消し、作業を中断することなく掘削と把持の機能を迅速に使い分けることができ、しかも横方向に長い被把持物でも把持し易いようにすることにある。
【課題を解決するための手段】
【０００７】
かかる課題を解決した本発明の構成は、
１）  アームの先端部にバケットの基部を枢支し、そのバケットをバケットシリンダーで揺動させて掘削作業できるようにしたバケット装置において、前記バケットの背面位置に下フォークを取り付け、その下フォークと対向するアームの背面位置に上フォークを取り付け、バケットシリンダーでバケットを掘削方向とは反対方向へ揺動させた際に下フォークが上フォークに近接して被把持物を把持できるようにしたことを特徴とする、把持機能付きバケット装置
２）  下フォークと上フォークをバケットの先端の回転軌跡より内側となるように設けた、前記１）記載の把持機能付きバケット装置
３）  下フォークと上フォークの先端部をそれぞれ内側に折り曲げた形状に形成した、前記１）又は２）いずれか記載の把持機能付きバケット装置
４）  下フォークと上フォークが噛み合った際、上フォークをバケットの底面を覆う形状に長く形成し、被把持物を強固に把持できるようにした、前記１）〜３）いずれか記載の把持機能付きバケット装置
にある。
【発明の効果】
【０００８】
本発明の前記１）記載の構成によれば、掘削作業を行う場合は、一般的なバケット装置と同じようにバケットシリンダーを伸縮させることで、バケットを揺動させて掘削作業する。把持作業を行う場合は、把持前にバケットを掘削方向へ揺動させて下フォークと上フォークを離間させておき、この状態で被把持物の前後位置に下フォークと上フォークを配置してバケットを掘削方向とは反対方向へ揺動させると、下フォークと上フォークが近接して被把持物を把持する。
【０００９】
したがって、従来技術のようにオペレーターが手作業で掘削と把持の切り換え作業をする必要がないから、掘削作業中に邪魔な被把持物があっても、作業を中断することなく直ぐに下フォークと上フォークで把持して除去でき、作業性に優れる。また、被把持物が横方向に長いものでも、下フォークと上フォークの左右は開放されているから把持し易い。特に、下フォークや上フォークを回動させる装置や操作手段をバケットシリンダーとは別に設ける必要がないから低コストで実施でき、既存のバケット装置に後付けし易く、故障も少ない。
【００１１】
したがって、従来技術のようにオペレーターが手作業で掘削と把持の切り換え作業をする必要がないから、掘削作業中に邪魔な被把持物があっても、作業を中断することなく直ぐに下フォークと上フォークで把持して除去でき、作業性に優れる。また、被把持物が横方向に長いものでも、下フォークと上フォークの左右は開放されているから把持し易い。
【００１２】
本発明の前記２）記載の構成によれば、掘削時に下フォーク又は上フォークが掘削面に突き刺さることがなく、掘削作業を邪魔しない。本発明の前記３）記載の構成によれば、被把持物を引っ掛け易くて把持し易い。本発明の前記４）記載の構成によれば、被把持物が太いものでも強固に把持できて落下させることがない。
【図面の簡単な説明】
【００１３】
【図１】実施例の把持機能付きバケット装置の側面図である。
【図２】実施例の下フォークと上フォークの斜視図である。
【図３】実施例の上フォークの取り付け状態を示す説明図である。
【図４】実施例の掘削作業と把持作業を示す説明図である。
【発明を実施するための形態】
【００１４】
以下、本発明を実施するための形態を実施例と図面に基づいて具体的に説明する。
【実施例】
【００１５】
図１は実施例の把持機能付きバケット装置の側面図、図２は実施例の下フォークと上フォークの斜視図、図３は実施例の上フォークの取り付け状態を示す説明図、図４は実施例の掘削作業と把持作業を示す説明図である。図中、１は下フォーク、１ａは爪、１ｂは爪プレート、１ｃは連結プレート、１ｄは爪、２は上フォーク、２ａは爪、２ｂは爪プレート、２ｃは連結プレート、２ｄはピン穴、２ｅは爪、２ｆはステー、２ｇはボス、２ｈはボス、２ｉはピン穴、３はアーム、３ａはイヤープレート、３ｂはボス、３ｃはピン、３ｄはイヤープレート、３ｅはボルト、３ｆはナット、３ｇはカラー、４はバケット、４ａは岩ツース、５はバケットシリンダー、５ａはロッド、６，７はリンク、Ｇは被掘削物、Ｒは回転軌跡、Ｗは被把持物である。
【００１６】
本実施例の下フォーク１は、図２に示すように、先端にフック状の爪１ａを形成した左右の爪プレート１ｂと、その左右の爪プレート１ｂ同士を所定間隔をおいて溶接した連結プレート１ｃと、その連結プレート１ｃの下面に所定間隔おいて溶接した３体のフック状の爪１ｄとで構成している。
【００１７】
上フォーク２は、先端に長いフック状の爪２ａを有し全体を略コ字状に且つバケット２の底面を覆う形状に長く形成し上端にピン穴２ｄを開口した左右の爪プレート２ｂと、その左右の爪プレート２ｂのピン穴２ｄに連通するように内側に溶接したボス２ｈと、左右の爪プレート２ｂ同士を所定間隔をおいて溶接した２枚の連結プレート２ｃと、その２枚の連結プレート２ｃに所定間隔おいて溶接した２体のフック状の爪２ｅと、左右の爪プレート２ｂの途中位置に溶接し上端にピン穴２ｉを開口したステー２ｆと、その左右のステー２ｆのピン穴２ｉに連通するように内側に溶接したボス２ｇとで構成している。
【００１８】
図１に示すように、この下フォーク１の左右の爪プレート２ｂを油圧ショベル等のバケット４の背面側の側端に爪１ａ，１ｄが背面側を向くように溶接している。上フォーク２は、図３に示すように、ボス３ｂが溶接されたイヤープレート３ａをアーム３の正面側に取り付け、そのボス３ｂの左右位置に爪プレート２ｂを爪２ａ，２ｅが正面側を向くように配置し、先端に貫通穴を備えたピン３ｃをピン穴２ｄとボス３ｂ，２ｈに連通し、その突出したピン３ｃの先端に貫通穴を上下に備えたカラー３ｇを挿入してボルト３ｅとナット３ｆで固定し、ステー２ｆはアーム３に予め有するイヤープレート３ｄの左右に配置し、先端に貫通穴を備えたピン３ｃをボス２ｇとイヤープレート３ｄとバケットシリンダー５に連通し、その突出したピン３ｃの先端に貫通穴を上下に備えたカラー３ｇを挿入してボルト３ｅとナット３ｆで固定し、下フォーク１と上フォーク２をバケット４の岩ツース４ａの回転軌跡Ｒより内側となるように配置している。
【００１９】
本実施例のバケット装置で掘削作業を行う場合は、図４（ａ）に示すように、一般的なバケット装置と同じようにバケットシリンダー５を伸縮させることで、バケット４が揺動して掘削作業できる。このとき、下フォーク１と上フォーク２はバケット４の回転軌跡Ｒ（図１参照）より内側に位置しているから、掘削時に下フォーク１又は上フォーク２が掘削面に突き刺さることがなく、掘削作業の邪魔になることはない。
【００２０】
把持作業を行う場合は、図４（ｂ）に示すように、把持前にバケットシリンダー５を最大に伸張させておく、この状態で風倒木等の被把持物Ｗの前後位置に下フォーク１と上フォーク２を配置してバケットシリンダー５を縮退させると、下フォーク１が上フォーク２に近接する方向へ回動して被把持物Ｗが把持される。このとき、被把持物Ｗが横方向に長いものでも、下フォーク１と上フォーク２の左右は開放されているから把持し易い。しかも、上フォーク２はバケット４の底面を覆う形状に長く形成しているから、被把持物Ｗを強固に把持できる。このように、作業を中断してオペレーターが手作業で準備する必要はなく、バケット４の揺動操作のみで掘削と把持のいずれの作業が直ぐに行える。
【産業上の利用可能性】
【００２１】
本発明の技術は、油圧ショベルやバックホー等に設けられ、掘削作業及び風倒木・間伐材・根・石材・岩・廃材等の運搬又は除去作業に利用される。
【符号の説明】
【００２２】
１  下フォーク
１ａ  爪
１ｂ  爪プレート
１ｃ  連結プレート
１ｄ  爪
２  上フォーク
２ａ  爪
２ｂ  爪プレート
２ｃ  連結プレート
２ｄ  ピン
２ｅ  爪
２ｆ  ステー
２ｇ  ボス
２ｈ  ボス
２ｉ  ピン穴
３  アーム
３ａ  イヤープレート
３ｂ  ボス
３ｃ  ピン
３ｄ  イヤープレート
３ｅ  ボルト
３ｆ  ナット
３ｇ  カラー
４  バケット
４ａ  岩ツース
５  バケットシリンダー
５ａ  ロッド
６，７  リンク
Ｇ  被掘削物
Ｒ  回転軌跡
Ｗ  被把持物
【図１】
0005495923.tif 000002
【図２】
0005495923.tif 000003
【図３】
0005495923.tif 000004
【図４】
0005495923.tif 000005